(57)【特許請求の範囲】
【請求項１】
筐体と、少なくとも１つの絵柄を複数列にてそれぞれ変動表示する変動表示手段と、 前記筐体から前側へ突出する前側突出体に設けられる操作手段とを備えて、
当該操作手段は、前記少なくとも１つの絵柄の変動表示を前記複数列の列ごとに停止させるとき操作される停止操作部材を複数有するようにした遊技機において、
前記複数の停止操作部材の各々に対応する各押動規制手段を具備してなり、
前記筐体の前記前側突出体は、前記筐体から前側へ延出する上側部と、当該上側部の前側延出端部から下方へ延出する前側部とを、前記少なくとも１つの絵柄の前記複数列の各列に対応して設けてなり、
前記操作手段において、前記複数の停止操作部材は、それぞれ、
前記少なくとも１つの絵柄の前記複数列の各列に対応して前記前側突出体の前記上側部に上側から押動操作の可能なように設けられる上側操作部と、当該上側操作部の前端部に一体的に連結されて当該前端部から下方に向けて前側から押動操作の可能なように延出する前側操作部とを具備して、前記上側操作部と前記前側操作部との連結境界部にて、前記上側操作部を上下方向に回動可能にかつ前記前側操作部を前後方向に回動可能に支持されており、
前記各押動規制手段は、各対応の前記停止操作部材の前記上側操作部及び前側操作部のいずれか一方の押動操作を規制するようになっていることを特徴とする遊技機。
【請求項２】
前記各押動規制手段は、前記各対応停止操作部材の前記上側操作部及び前記前側操作部のいずれか一方の押動操作の規制を、遊技におけるアシストゲーム中に行うようになっていることを特徴とする請求項１に記載の遊技機。
【請求項３】
複数の停止操作部材の各々に対応する各照明手段を備えており、
当該各照明手段は、各対応の前記停止操作部材の前記上側操作部及び前記前側操作部のうち各対応の前記押動規制手段により押動操作を規制されていない前記上側操作部及び前記前側操作部のいずれか他方を照明するようになっていることを特徴とする請求項１または２に記載の遊技機。
【請求項４】
前記複数の停止操作部材の各々に対応する各スイッチ機構を備えており、
当該各スイッチ機構は、各対応の前記停止操作部材の前記上側操作部或いは前記前側操作部の押動操作に基づきスイッチ作動するようになっていることを特徴とする請求項１〜３のいずれか１つに記載の遊技機。
【請求項５】
前記複数の停止操作部材は、それぞれ、前記前側操作部にて、前記上側操作部の突出長さの１．５倍〜２．５倍の範囲以内の長さだけ、長く延出するように構成されていることを特徴とする請求項１〜４のいずれか１つに記載の遊技機。
【発明の詳細な説明】
【技術分野】
【０００１】
本発明は、絵柄の変動表示を停止させる停止操作装置を備えたスロットマシン等の遊技機に関する。
【背景技術】
【０００２】
従来、スロットマシンは、例えば、筒状の３つの回転ドラムを備えており、これら回転ドラムは、その各外周面に所定間隔にて描いてなる複数の絵柄の一部を、図柄表示部から表示するように左右方向に並んで配設されている。このような構成のもと、各回転ドラムは、遊技者によるゲームの開始操作に基づき互いに独立して回転し、遊技者による停止操作によって、順次停止する。そして、この停止時に、各回転ドラムの絵柄が、図柄表示部において、所定の組み合わせでもって整列すると、所定枚数のメダルが払い出される。
【０００３】
ここで、遊技者による停止操作は、下記特許文献１にて開示してなるスロットマシンの停止操作具を活用することが考えられる。この停止操作具は、上操作面及び前操作面を有しており、上操作面は、図柄表示部に対応する表示窓の下方からその前方へ、略水平状に突出しており、前操作面は、上操作面の前端部から下方に垂下している。そして、上操作面及び前操作面には、各回転ドラムに対応して停止ボタンが配設されている。これにより、回転ドラム毎にその両停止ボタンのいずれを操作しても、対応の回転ドラムが停止するようになっている。
【先行技術文献】
【特許文献】
【０００４】
【特許文献１】特開２００２−２３９０６３号公報
【発明の概要】
【発明が解決しようとする課題】
【０００５】
しかしながら、上述のような停止操作具の構成に依っては、遊技者の使い勝手の良さや疲労度等に応じて上操作面の停止ボタン及び前操作面の停止ボタンを使い分けることができるとしても、一回転ドラムに対し２つの停止ボタンが互いに独立したスイッチ機構を必須とすることから、停止操作具の構成が複雑になるという不具合が生ずる。
【０００６】
そこで、本発明は、以上のようなことに対処するため、少なくとも１つの絵柄の変動表示中において当該変動表示を停止させる操作構成に工夫を凝らし、簡単な構成にて、遊技者の使い勝手の良さや疲労度等に応じて使い分けるようにした停止操作部材を備えてなる遊技機を提供することを目的とする。
【課題を解決するための手段】
【０００７】
上記課題の解決にあたり、本発明に係る遊技機は、請求項１の記載によれば、
筐体（１００）と、少なくとも１つの絵柄を複数列にてそれぞれ変動表示する変動表示手段（２００）と、 筐体から前側へ突出する前側突出体（１３０）に設けられる操作手段（Ｕ）とを備えて、
当該操作手段は、上記少なくとも１つの絵柄の変動表示を上記複数列の列ごとに停止させるとき操作される停止操作部材（１４０）を複数有する。
【０００８】
当該遊技機において、
複数の停止操作部材の各々に対応する各押動規制手段（１４０ｂ、１４３、４７１ｄ）を具備してなり、
筐体の上記前側突出体は、筐体から前側へ延出する上側部（１３１）と、当該上側部の前側延出端部から下方へ延出する前側部（１３２）とを、上記少なくとも１つの絵柄の上記複数列の各列に対応して設けてなり、
操作手段において、複数の停止操作部材は、それぞれ、
上記少なくとも１つの絵柄の上記複数列の各列に対応する上記前側突出体の上記上側部に上側から押動操作の可能なように設けられる上側操作部（１４７ａ）と、当該上側操作部の前端部に一体的に連結されて当該前端部から下方に向けて前側から押動操作の可能なように延出する前側操作部（１４７ｂ）とを具備して、上記上側操作部と上記前側操作部との連結境界部にて、上記上側操作部を上下方向に回動可能にかつ上記前側操作部を前後方向に回動可能に支持されており、
各押動規制手段は、各対応の停止操作部材の上記上側操作部及び上記前側操作部のいずれか一方の押動操作を規制するようになっていることを特徴とする。
【０００９】
このように、複数の停止操作部材は、それぞれ、少なくとも１つの絵柄の複数列の各列に対応して前側突出体の上側部に上側から押動操作の可能なように設けられる上側操作部と、当該上側操作部の前端部に一体的に連結されて当該前端部から下方に向けて前側から押動操作の可能なように延出する前側操作部とを具備して、上側操作部と前側操作部との連結境界部にて、上側操作部を上下方向に回動可能にかつ前側操作部を前後方向に回動可能に支持されている。
【００１０】
ここで、遊技者が複数の停止操作部材を操作するにあたっては、遊技者の好みがある。このため、従来のスロットマシン等の遊技機においては、その機種によって、複数の停止操作部材の各操作構成が、上側から操作する形式のものと、前側から操作する形式のものに大きく分かれている。
【００１１】
従って、遊技者が上側から操作する形式の複数の停止操作部材の操作構成を好みとする場合には、上側から操作する形式の複数の停止操作部材の操作構成を有する機種の遊技機を選択する。また、遊技者が前側から操作する形式の複数の停止操作部材の操作構成を好みとする場合には、前側から操作する形式の複数の停止操作部材の操作構成を有する機種の遊技機を選択する。
【００１２】
このようなことを考慮して、本発明では、複数の停止操作部材を、それぞれ、上述のように、上側操作部と前側操作部とでもって一体的に連結して構成することで、遊技者の好みに応じた複数の停止操作部材の各操作構成を、単一の遊技機において確保するようにした。その結果、遊技者は、自己の好みに合った遊技機でもってゲームを快適に行うことができるのは勿論のこと、遊技機によるゲームを行うにあたり、好みにあった複数の停止操作部材の操作構成を有する機種の遊技機をわざわざ探す必要もない。
【００１３】
また、上述のように複数の停止操作部材の各前側操作部を繰り返し操作してゲームをしている間に、遊技者が疲れを感じるようになった場合には、当該遊技者は、自己の好みではないが、複数の停止操作部材の各上側操作部を操作してゲームをすることもできて、便利である。
【００１４】
また、複数の停止操作部材は、それぞれ、前側操作部及び上側操作部にて、上述のごとく一体的に連結して構成されているので、複数の停止操作部材の部品点数の減少を確保することができる。
また、上述のごとく、各押動規制手段が、複数の停止操作部材の各々に対応して具備されて、各対応の停止操作部材の上記上側操作部及び上記前側操作部のいずれか一方の押動操作を規制するようになっている。
これに伴い、遊技者は、各停止操作部材の上側操作部及び前側操作部のうち各対応の押動規制手段により規制されているいずれか一方の押動操作をしようとしても、押動操作できないように規制されている。従って、遊技者は、各停止操作部材の押動操作を行うにあたっては、各停止操作部材の上側操作部及び前側操作部のうち各押動規制手段により規制されていない上側操作部及び前側操作部のみを誤りなく押動操作することができる。
【００１５】
以上のように、少なくとも１つの絵柄を複数列にてそれぞれ変動表示している間において当該変動表示を停止させる操作構成に工夫を凝らし、簡単な構成にて、遊技者の使い勝手の良さや疲労度等に応じて使い分けるようにした複数の停止操作部材を備えるとともに、当該複数の停止操作部材の各々の上側操作部及び前側操作部のいずれか一方の押動操作を規制して、規制されていない上側操作部及び前側操作部のみを誤りなく押動操作し得るようにした複数の押動規制手段を備えてなる遊技機を提供することができる。
【００１６】
また、本発明は、請求項２の記載によれば、請求項１に記載の遊技機において、
各押動規制手段は、上記各対応停止操作部材の上記上側操作部及び上記前側操作部のいずれか一方の押動操作の規制を、遊技におけるアシストゲーム中に行うようになっていることを特徴とする。
【００１７】
このように、各押動規制手段は、各停止操作部材の上側操作部及び前側操作部のいずれか一方の押動操作の規制を、遊技におけるアシストゲーム中に行うようになっている。
これにより、アシストゲーム中において、各停止操作部材の上側操作部及び前側操作部のいずれか他方を所定の順序にて押動操作するように予告されていれば、上述のように各押動規制手段による押動操作の規制の対象となっている各停止操作部材の上側操作部及び前側操作部のいずれか一方を誤って押動操作することなく、予告の順序にて、各停止操作部材の上側操作部及び前側操作部のいずれか他方を正しく押動操作することができる。その結果、アシストゲームにより遊技者の入賞を良好に助勢しつつ、請求項１に記載の発明の作用効果を達成することができる。
また、本発明は、請求項３の記載によれば、請求項１または２に記載の遊技機において、
複数の停止操作部材の各々に対応する各照明手段（１４５、１４６、１４９）を備えており、
当該各照明手段は、各対応の停止操作部材の上記上側操作部及び上記前側操作部のうち各対応の押動規制手段により押動操作を規制されていない上記上側操作部及び上記前側操作部のいずれか他方を照明するようになっていることを特徴とする。
このように、各照明手段が、各対応の停止操作部材の上側操作部及び前側操作部のうち各対応の押動規制手段により押動操作を規制されていない上側操作部及び前側操作部のいずれか他方を照明するので、遊技者は、各対応の停止操作部材の上側操作部及び前側操作部のうち各対応の押動規制手段により押動操作を規制されていない上側操作部及び前側操作部のいずれか他方を良好に視認し得る。その結果、各停止操作部材の上側操作部及び前側操作部のいずれか他方を予告の順序にてより一層正しく押動操作することができて、請求項１または２に記載の発明の作用効果をより一層向上し得る。
【００１８】
また、本発明は、請求項４の記載によれば、請求項１〜３のいずれか１つに記載の遊技機において、
複数の停止操作部材の各々に対応する各スイッチ機構（１４４ａ、１４４ｂ、１４４ｃ、１４４ｄ、１４４ｅ）を備えており、
当該各スイッチ機構は、各対応の停止操作部材の上記上側操作部或いは上記前側操作部の押動操作に基づきスイッチ作動するようになっていることを特徴とする。
【００１９】
これによれば、複数の停止操作部材の各々において、上側操作部及び前側操作部のいずれかが押動操作されたとき、これら各押動操作に基づき各スイッチ機構をスイッチ作動させることで、上側操作部及び前側操作部のいずれかに対する押動操作を確実に検出することができる。従って、この検出結果を利用すれば、変動表示手段による絵柄の変動表示を確実に停止させることができる。
【００２０】
また、本発明は、請求項５の記載によれば、請求項１〜４のいずれか１つに記載の遊技機において、
複数の停止操作部材は、それぞれ、上記前側操作部にて、上記上側操作部の突出長さの１．５倍〜２．５倍の範囲以内の長さだけ、長く延出するように構成されていることを特徴とする。
【００２１】
このように、複数の停止操作部材の各々においては、前側操作部が、上側操作部の突出長さの１．５倍〜２．５倍の範囲以内の長さだけ、長く延出しているので、停止操作部材ごとに、前側操作部に対する前方からの操作を容易にしつつ、請求項１〜４のいずれか１つに記載の発明の作用効果を達成することができる。
【発明の効果】
【００２２】
本発明によれば、少なくとも１つの絵柄を複数列にてそれぞれ変動表示している間において当該変動表示を停止させる操作構成に工夫を凝らし、簡単な構成にて、遊技者の使い勝手の良さや疲労度等に応じて使い分けるようにした複数の停止操作部材を備えるとともに、当該複数の停止操作部材の各々の上側操作部及び前側操作部のいずれか一方の押動操作を規制して、規制されていない上側操作部及び前側操作部のみを誤りなく押動操作し得るようにした複数の押動規制手段を備えてなる遊技機を提供することができる。
【００２３】
なお、上記各手段の括弧内の符号は、後述する実施形態に記載の具体的手段との対応関係を示す。
【図面の簡単な説明】
【００２４】
【図１】本発明に係るスロットマシンの一実施形態を示す斜視図である。
【図２】図１のスロットマシンを、前扉の開状態にて示す斜視図である。
【図３】図２のスロットマシンを、回転表示装置及びホッパー装置の省略状態にて示す斜視図である。
【図４】図２の回転表示装置を示す斜視図である。
【図５】図２の回転表示装置を、右側絵柄回転表示体の分解状態にて示す斜視図である。
【図６】図２のホッパー装置を示す斜視図である。
【図７】図１の操作装置を、右側停止操作部材を取り出した状態にて示す斜視図である。
【図８】図７の右側停止操作部材を、ボタン部材を省略した状態で示す斜視図である。
【図９】図７の右側停止操作部材を、ボタン部材を省略した状態で示す斜視図である。
【図１０】図７の右側停止操作部材の分解斜視図である。
【図１１】図７の右側停止操作部材の概略平面図である。
【図１２】図１１にて１２−１２線に沿う断面図である。
【図１３】図１２において右側停止操作部材を、板状ボタンの上側ボタン部を叩いた状態にて示す断面図である。
【図１４】図１２において右側停止操作部材を、板状ボタンの前側ボタン部を押した状態にて示す断面図である。
【図１５】上記一実施形態における電気回路構成図を示すブロック図である。
【図１６】図１５の制御回路であるマイクロコンピュータにより実行されるフローチャートの一部である。
【図１７】図１５の制御回路であるマイクロコンピュータにより実行されるフローチャートの一部である。
【図１８】図１７のＡＴゲーム処理ルーチンの詳細フローチャートである。
【図１９】図１のスロットマシンを、操作装置に対する遊技者の上側からの操作状態にて示す側面図である。
【図２０】図１のスロットマシンを、操作装置に対する遊技者の前側からの操作状態にて示す側面図である。
【図２１】図１のスロットマシンを、操作装置に対する遊技者の前側からの操作状態にて示す正面図である。
【図２２】上記実施形態における左側及び右側の各停止操作部材における板状ボタンと板状カムとの間の中立位置関係を示す概略断面図である。
【図２３】上記実施形態における中側停止操作部材における板状ボタンの前側ボタン部と板状カムのカム面との間の当接関係を示す概略断面図である。
【図２４】図２２の左側及び右側の各停止操作部材において板状ボタンの上側ボタン部を操作した状態を示す概略断面図である。
【図２５】上記実施形態における中側停止操作部材における板状ボタンの上側ボタン部と板状カムのカム面との間の当接関係を示す概略断面図である。
【図２６】図２５の中側停止操作部材における板状ボタンの前側ボタン部の操作状態を示す概略断面図である。
【発明を実施するための形態】
【００２５】
以下、本発明の一実施形態を図面により説明する。
【００２６】
図１は、本発明がスロットマシンに適用された例を示している。当該スロットマシンは、図１或いは図２にて示すごとく、筐体１００と、この筐体１００内に回転表示装置２００及びホッパー装置３００とを備えている。なお、図１において、図示左斜め前側は、当該スロットマシンの前側に対応し、図示右斜め後側は、当該スロットマシンの後側に対応し、図示左斜め後側は、当該スロットマシンの左側に対応し、図示右斜め前側は、当該スロットマシンの右側に対応し、図示上側は当該スロットマシンの上側に対応し、また、図示下側は、当該スロットマシンの下側に対応する。
【００２７】
筐体１００は、筐体本体１００ａと、前扉１００ｂとにより構成されている。筐体本体１００ａは、図１〜図３のいずれかにて示すごとく、下壁１０１と、左壁１０２、右壁１０３と、上壁１０４と、後壁１０５とにより、断面コ形状に形成されている。なお、下壁１０１、左壁１０２、右壁１０３及び上壁１０４は、その各前縁部にて、筐体本体１００ａの開口部を構成する。
【００２８】
前扉１００ｂは、図２或いは図３にて示すごとく、その左縁部にて、筐体本体１００ａの左壁１０２の前縁部に前後方向に開閉可能に支持されており、当該前扉１００ｂは、図１にて示すごとく、扉本体１１０と、液晶表示装置１２０と、操作装置Ｕとにより構成されている。
【００２９】
扉本体１１０は、図３にて示すごとく、その左縁部（前扉１００ｂの左縁部に対応）にて、筐体本体１００ａの左壁１０２の前縁部に前後方向に開閉可能に支持されている。当該扉本体１１０は、上下両側開口部１１１、１１２を有しており、上側開口部１１１は、扉本体１１０の上下方向上側部位に形成されて表示窓（以下、表示窓１１１ともいう）としての役割を果たす。下側開口部１１２は、扉本体１１０の下部に形成されてコイン払い出し口（以下、コイン払い出し口１１２ともいう）としての役割を果たす。
【００３０】
液晶表示装置１２０は、その液晶パネル１２１にて、前側下方を傾斜状に臨むように、扉本体１１０の上部にその前方から取り付けられており、当該液晶表示装置１２０は、液晶パネル１２１により、当該スロットマシンのゲーム状態に関する種々の演出表示を行う。
【００３１】
操作装置Ｕは、図１にて示すごとく、扉本体１１０のうち上側開口部１１１の下側部位に前方に向けて突出するように設けられている。当該操作装置Ｕは、ケーシング１３０を備えており、このケーシング１３０は、扉本体１１０のうち上側開口部１１１の下側部位から前方へ延出する上壁部１３１と、この上壁部１３１の延出端部から下方に向け延出する前壁部１３２と、扉本体１１０のうち上側開口部１１１の下側部位から上壁部１３１に並行に前方へ延出する下壁部１３３と、上壁部１３１の左縁部、前壁部１３２及び下壁部１３３の各左縁部を閉じる左壁部１３４と、上壁部１３１の右縁部、前壁部１３２及び下壁部１３３の各右縁部を閉じる右壁部１３５とでもって、前方へ向け凸な凹形状に形成されている。
【００３２】
これにより、当該ケーシング１３０は、上壁部１３１及び下壁部１３３の各延出基端部にて、この各延出基端部に対する左壁部１３４及び右壁部１３５の各対応端部と共に、後方開口部を形成しており、当該ケーシング１３０は、その後方開口部にて、扉本体１１０のうち上側開口部１１１の下側部位に組み付けられて、前方に向け突出している。
【００３３】
本実施形態において、図１において、各符号１３０ａ、１３０ｂ及び１３０ｃは、それぞれ、スタートレバー、マックスベットボタン及びコイン投入口を示す。スタートレバー１３０ａは、ケーシング１３０の前壁部１３２の左縁部に前後下方向に押動可能に挿入支持されており、当該スタートレバー１３０ａは、後述する回転表示装置２００の左側、中側及び右側の絵柄回転表示体２２０を始動させるとき押動操作される。
【００３４】
マックスベットボタン１３０ａは、ケーシング１３０の上壁部１３１の左側部に押動可能に設けられており、当該マックスベットボタン１３０ａは、コイン投入口１３０ｃに３枚のコインを投入した状態で、操作される。また、コイン投入口１３０ｃは、ケーシング１３０の上壁部１３１の右側部に形成されており、当該コイン投入口１３０ｃは、コインを投入するための口としての役割を果たす。
【００３５】
また、当該操作装置Ｕは、図１或いは図７にて示すごとく、左側、中側及び右側の各停止操作部材１４０を備えている。これら左側、中側及び右側の停止操作部材１４０は、それぞれ、ケーシング１３０に形成した左側、中側及び右側の支持開口部１３６ａ、１３６ｂ及び１３６ｃに支持されている（図７参照）。
【００３６】
本実施形態において、左側、中側及び右側の支持開口部１３６ａ、１３６ｂ及び１３６ｃは、ケーシング１３０の左右方向中間部位にて、上壁部１３１及び前壁部１３２の双方に亘り、左右方向に並んで、同一の開口形状となるように形成されている。なお、これら左側、中側及び右側の支持開口部１３６ａ、１３６ｂ及び１３６ｃは、それぞれ、後述する回転表示装置２００の左側、中側及び右側の絵柄回転表示体２２０の直下に位置する。
【００３７】
当該左側、中側及び右側の支持開口部１３６ａ、１３６ｂ及び１３６ｃのうち、中側支持開口部１３６ｂは、ケーシング１３０の上壁部１３１の前側左右方向中央部から前壁部１３２の左右方向中央部にかけてＬ字状の開口部として開口形成されている（図７参照）。
【００３８】
ここで、中側支持開口部１３６ｂのうち前壁部１３２の左右方向中央部に形成した開口部位１３２ａの左右方向中心線に沿う長さは、中側支持開口部１３６ｂのうち上壁部１３１の前側左右方向中央部に形成した開口部位１３１ａの左右方向中心線に沿う長さよりも、１．５倍〜２．５倍の範囲以内の長さだけ長く選定されている。
【００３９】
左側支持開口部１３６ａは、中側支持開口部１３６ｂの左側に位置しており、当該左側支持開口部１３６ａは、ケーシング１３０の上壁部１３１の前側左右方向中央部の左側部位から前壁部１３２の左右方向中央部の左側部位にかけて中側支持開口部１３６ｂと同一のＬ字状の開口部として開口形成されている。
【００４０】
ここで、左側支持開口部１３６ａのうち前壁部１３２の左右方向中央部の左側部位に形成した開口部位１３２ｂの左右方向中心線に沿う長さは、左側支持開口部１３６ａのうち上壁部１３１の前側左右方向中央部の左側部位に形成した開口部位１３１ｂの左右方向中心線に沿う長さよりも、１．５倍〜２．５倍の範囲以内の長さだけ長く選定されている。
【００４１】
また、右側支持開口部１３６ｃは、中側支持開口部１３６ｂの右側に位置しており、当該左側支持開口部１３６ｃは、ケーシング１３０の上壁部１３１の前側左右方向中央部の右側部位から前壁部１３２の左右方向中央部の右側部位にかけて中側支持開口部１３６ｂと同一のＬ字状の開口部として開口形成されている。
【００４２】
ここで、右側支持開口部１３６ｃのうち前壁部１３２の左右方向中央部の右側部位に形成した開口部位１３２ｃの左右方向中心線に沿う長さは、右側支持開口部１３６ｃのうち上壁部１３１の前側左右方向中央部の右側部位に形成した開口部位１３１ｃの左右方向中心線に沿う長さよりも、１．５倍〜２．５倍の範囲以内の長さだけ長く選定されている。
【００４３】
左側、中側及び右側の各停止操作部材１４０のうち、右側停止操作部材１４０は、上述のごとく、ケーシング１３０の右側支持開口部１３６ｃに支持されており、当該右側停止操作部材１４０は、図７〜図１０のいずれかにて示すごとく、部材本体１４０ａと、ボタン部材１４０ｂとにより構成されている。
【００４４】
部材本体１４０ａは、図８〜図１０にて示すごとく、収容体１４１を有しており、この収容体１４１は、左側壁部１４１ａ、後側壁部１４１ｂ、右側壁部１４１ｃ及び下側壁部１４１ｄでもって構成されている。
【００４５】
当該収容体１４１において、左側壁部１４１ａは、後側壁部１４１ｂの左縁部からＬ字状に前方へ延出し、右側壁部１４１ｃは、後側壁部１４１ｂの右縁部からＬ字状に前方へ延出することで、左側壁部１４１ａ、後側壁部１４１ｂ及び右側壁部１４１ｃは、コ字状の周壁部として形成されている。下側壁部１４１ｄは、その左縁部、後縁部及び右縁部にて、左側壁部１４１ａ、後側壁部１４１ｂ及び右側壁部１４１ｃの各下縁部と一体的に形成されている。
【００４６】
これにより、左側壁部１４１ａ、右側壁部１４１ｃ及び下側壁部１４１ｄが、その各前縁部により、収容体１４１の前側開口部１４１ｅを構成し、また、左側壁部１４１ａ、後側壁部１４１ｂ及び右側壁部１４１ｃが、その各上縁部により、収容体１４１の上側開口部１４１ｆを構成する。ここで、前側開口部１４１ｅ及び上側開口部１４１ｆは、互いに連通して、収容体１４１のＬ字状開口部を構成する。
【００４７】
また、収容体１４１は、図１０にて示すごとく、左側突起片１４１ｇ、両右側突起片１４１ｈ、１４１ｉ及び後側突起片１４１ｊを有している。左側突起片１４１ｇは、その幅方向にて上下方向に沿うように、左側壁部１４１ａの前縁中間部位から左方へ長手状に突出している。
【００４８】
両右側突起片１４１ｈ、１４１ｉのうち、右側突起片１４１ｈは、その幅方向にて上下方向に沿うように、右側壁部１４１ｃの前縁下部から右方へ長手状に突出している。また、右側突起片１４１ｉは、その幅方向にて前後方向に沿うように、右側壁部１４１ｃの上縁後部から右方へ突出している。後側突起片１４１ｊは、その幅方向にて左右方向に沿うように、後側壁部１４１ｂの上縁左部から後方へ突出している。
【００４９】
しかして、左側突起片１４１ｇ及び右側突起片１４１ｈは、それぞれ、ケーシング１３０の右側支持開口部１３６ｃ（図７参照）における開口部位１３２ｃの左右両側部位に各ネジ（図示しない）により締着されている。右側突起片１４１ｉ及び後側突起片１４１ｊは、ケーシング１３０の右側支持開口部１３６ｃにおける上壁部１３１の開口部位１３１ｃの左右上側部位に各ネジ（図示しない）により締着されている。これにより、当該収容体１４１は、ケーシング１３０の右側支持開口部１３６ｃにその内側から支持されて、前側開口部１４１ｅ及び上側開口部１４１ｆにて右側支持開口部１３６ｃの前方及び上方を臨んでいる。
【００５０】
部材本体１４０ａは、図８〜図１４のいずれかにて示すごとく、カムモータ１４２と、カム機構１４３と、スイッチ機構１４４と、上方照明部材１４５及び前方照明部材１４６とを備えている。なお、これらカムモータ１４２、カム機構１４３、スイッチ機構１４４、上方照明部材１４５及び前方照明部材１４６は、それぞれ、以下、右側カムモータ１４２、右側カム機構１４３、右側スイッチ機構１４４、右側上方照明部材１４５及び右側前方照明部材１４６ともいう。
【００５１】
右側カムモータ１４２は、図９にて例示するごとく、円筒状ステータ１４２ａ（図１０参照）にて、その一端面側から、収容体１４１の左側壁部１４１ａの中間部位に組み付けられている。また、当該右側カムモータ１４２は、ロータ（図示しない）を回転自在に内蔵しており、当該ロータは、その出力軸１４２ｂにて、収容体１４１の左側壁部１４１ａの上記中間部位に形成した貫通孔部Ｈ１を通して収容体１４１内に回転自在に延出している（図１０及び図１１参照）。
【００５２】
右側カム機構１４３は、図１０にて示すごとく、ピニオンギア１４３ａと、被動ギア１４３ｂと、板状カム１４３ｃとを有している。ピニオンギア１４３ａは、右側カムモータ１４２の出力軸１４２ｂに対し収容体１４１内にて左側壁部１４１ａの内面近傍にて、同軸的に支持されている。このため、当該ピニオンギア１４３ａは、右側カムモータ１４２と一体的になって当該右側カムモータ１４２と共に一方向回転（或いは他方向回転）に回転する。なお、ピニオンギア１４３ａは、ストップリングＳ１（図１０参照）により、右側カムモータ１４２の出力軸１４２ｂに抜け止めされている。
【００５３】
被動ギア１４３ｂ及び板状カム１４３ｃは、カム軸１４３ｄにより当該カム軸と共に同軸的に回転可能に支持されている（図１０参照）。
【００５４】
ここで、カム軸１４３ｄは、その軸方向左右両側端部にて、ピニオンギア１４３ａよりも前側に位置するように、収容体１４１の左右両側壁部１４１ａ、１４１ｃの各中間部位に形成した各貫通孔部Ｈ２（図１０参照）に両メタルベアリングＢ１（図１０参照）を介し回転自在に支持されている。なお、両メタルベアリングＢ１は、それぞれ、各対応のストップリングＳ２（図１０参照）によりカム軸１４３ｄの軸方向左右両側端部の各々に抜け止めされている。また、両メタルベアリングＢ１は、それぞれ、左右両側壁部１４１ａ、１４１ｃの各貫通孔部Ｈ２に同軸的に嵌装されている。
【００５５】
被動ギア１４３ｂは、ピニオンギア１４３ａにその前側から噛合するように、板状カム１４３ｃの左側にて、カム軸１４３ｄの左側軸部に同軸的に支持されている。これにより、被動ギア１４３ｂは、ピニオンギア１４３ａの回転に伴い、カム軸１４３ｄと共に、当該ピニオンギア１４３ａとは逆方向に回転する。なお、被動ギア１４３ｂは、両ストップリングＳ３によりカム軸１４３ｄの左側軸部に軸方向に移動不能に支持されている。
【００５６】
板状カム１４３ｃは、その軸孔部にて、被動ギア１４３ｂに沿うように、カム軸１４３ｄの軸方向中間部位に同軸的に支持されており、当該板状カム１４３ｃは、被動ギア１４３ｂの回転に伴い、カム軸１４３ｄと共に、被動ギア１４３ｂの回転方向と同一方向に回転する。
【００５７】
本実施形態では、カム軸１４３ｄの軸方向中間部位の外周部は、その一部にて、円弧状に切り欠き形成されている。このため、カム軸１４３ｄの軸方向中間部位の横断面形状は、非円板形状となっている。また、板状カム１４３ｃの上記軸孔部は、カム軸１４３ｄの軸方向中間部位の横断面形状に対応する中空形状に形成されている。これにより、カム軸１４３ｄの軸方向中間部位が板状カム１４３ｃの上記軸孔部に相対回転不能に嵌装支持されている。なお、板状カム１４３ｃは、ストップリングＳ４により、カム軸１４３ｄの軸方向中間部位の左側に対し移動不能に規制されている。
【００５８】
当該板状カム１４３ｃは、両カム面Ｃ１、Ｃ２を有しており、カム面Ｃ１は、板状カム１４３ｃの外周面のうち所定の円弧面部でもって形成されている。また、カム面Ｃ２は、板状カム１４３ｃの外周面のうち上記所定の円弧面部以外の残りの円弧面部でもって構成されている。
【００５９】
但し、上記所定の円弧面部が板状カム１４３ｃの軸を中心として張る中心角は、所定の鈍角である。上記残りの円弧面部が板状カム１４３ｃの軸を中心として張る中心角は、所定の鋭角である。
【００６０】
また、当該上記残りの円弧面部の半径は、上記所定の円弧面部の半径よりも短い。これに伴い、両カム面Ｃ１、Ｃ２の各境界面部は、カム面Ｃ１からカム面Ｃ２にかけて緩やかな湾曲状に変化するように形成されている。なお、上記所定の鈍角と上記所定の鋭角との和は、３６０度である。
【００６１】
右側スイッチ機構１４４は、光センサー１４４ａ（以下、右側光センサー１４４ａともいう）と、後述する両ロッド１４４ｂ、１４４ｃ（図１２参照）に組み付けられる両コイルスプリング１４４ｄ、１４４ｅとを有している。
【００６２】
右側光センサー１４４ａは、長手状のフォトインタラプタからなるもので、当該右側光センサー１４４ａは、図８、図１０及び図１２〜図１４のいずれかにて示すごとく、収容体１４１の後側壁部１４１ｂ及び下側壁部１４１ｄの境界左右方向中央部から収容体１４１の前側開口部１４１ｅ及び上側開口部１４１ｆとの境界左右方向中央部に対向するように傾斜状に延出している。
【００６３】
しかして、このように延出する右側光センサー１４４ａは、その延出端側二股部にて、収容体１４１の前側開口部１４１ｅ及び上側開口部１４１ｆとの境界左右方向中央部に対向している。
【００６４】
ここで、右側光センサー１４４ａの延出端側二股部は、左右方向に二股状になるように形成されており、当該延出端側二股部は、発光素子である発光ダイオードと受光素子であるフォトダイオードとを互いに対向させるように備えた検出部（以下、検出部Ｄともいう）として機能する。
【００６５】
しかして、当該右側光センサー１４４ａにおいて、上記フォトダイオードが上記発光ダイオードからの光を受光している状態において、両ロッド１４４ｂ、１４４ｃの一方が後述のように検出部Ｄである延出端側二股部の間へ進入したとき、上記フォトダイオードが上記発光ダイオードからの光から遮断されることで、当該右側光センサー１４４ａは、その検出部Ｄにて、両ロッド１４４ｂ、１４４ｃの一方の進入を検出する。
【００６６】
両ロッド１４４ｂ、１４４ｃは、それぞれ、図１０及び図１２〜図１４のいずれかにて示すごとく、ボタン部材１４０ｂ（後述する）の構成素子である。ロッド１４４ｂは、ボタン部材１４０ｂの板状押しボタン１４７を構成する両板状ボタン部１４７ａ、１４７ｂ（後述する）のうちボタン部１４７ａから帯状板部１４８ａ（図１２参照）の貫通孔部Ｈ３を通り右側光センサー１４４ａの検出部Ｄである延出端側二股部の間に進入可能に当該延出端側二股部の間に向けて延出している。
【００６７】
本実施形態では、帯状板部１４８ａは、収容体１４１の後側壁部１４１ｂから前方に向け下方へ傾斜して延出しており、当該帯状板部１４８ａの先端部には、上述した貫通孔部Ｈ３が、帯状板部１４８ａの延出方向に長孔状となるように形成されている。
【００６８】
ロッド１４４ｃは、板状押しボタン１４７のボタン部１４７ｂから帯状板部１４８ｂ（図１２参照）の溝部Ｍ１（図１０及び図１２参照）を通り右側光センサー１４４ａの検出部Ｄである延出端側二股部の間に進入可能に当該延出端側二股部の間に向けて延出している。本実施形態では、帯状板部１４８ｂは、収容体１４１の下側壁部１４１ｄから上方に向け延出しており、当該帯状板部１４８ｂの先端部には、上述した溝部Ｍ１が、帯状板部１４８ｂの延出先端部から下方に向けＵ字状となるように形成されている。
【００６９】
両コイルスプリング１４４ｄ、１４４ｅのうち、コイルスプリング１４４ｄは、図１２にて例示するごとく、ロッド１４４ｂにその軸に沿い嵌装されており、当該コイルスプリング１４４ｄは、ボタン部材１４０ｂのボタン部１４７ａに対するロッド１４４ｂの延出基端部と収容体１４１の帯状板部１４８ａの先端部との間に挟持されて、ボタン部１４７ａを上方に向け付勢する。
【００７０】
コイルスプリング１４４ｅは、図１２にて例示するごとく、ロッド１４４ｃにその軸に沿い嵌装されており、当該コイルスプリング１４４ｅは、ボタン部材１４０ｂのボタン部１４７ｂに対するロッド１４４ｃの延出基端部と収容体１４１の帯状板部１４８ｂの先端部との間に挟持されて、ボタン部１４７ｂを前方に向け付勢する。
【００７１】
右側上方照明部材１４５は、図８〜図１５のいずれかにて示すごとく、収容体１４１内にてその後側壁部１４１ｂの左右方向上側中間部位に支持されている。当該右側上方照明部材１４５は、発光ダイオード１４５ａ（以下、右側上方照明ＬＥＤ１４５ａともいう）と、支持板１４５ｂと、両筒１４５ｃとを備えている。支持板１４５ｂは、両筒１４５ｃを介し収容体１４１の後側壁部１４１ｂの左右方向上側中間部位に支持されている。右側上方照明ＬＥＤ１４５ａは、支持板１４５ｂに設けられており、この右側上方照明ＬＥＤ１４５ａは、ケーシング１３０の右側支持開口部１３６ｃの開口部位１３２ｃに向けて発光する。
【００７２】
前方照明部材１４６は、図８〜図１５のいずれかにて示すごとく、収容体１４１内にてその下側壁部１４１ｄの左右方向前側中間部位に支持されている。当該前方照明部材１４６は、発光ダイオード１４６ａ（以下、右側前方照明ＬＥＤ１４５ａともいう）と、支持板１４６ｂと、両筒１４６ｃとを備えている。支持板１４６ｂは、両筒１４６ｃを介し収容体１４１の下側壁部１４１ｄの左右方向前側中間部位に支持されている。右側前方発光ダイオード１４６ａは、支持板１４６ｂに設けられており、この右側前方発光ダイオード１４６ａは、ケーシング１３０の右側支持開口部１３６ｃの開口部位１３１ｃに向けて発光する。
【００７３】
ボタン部材１４０ｂ（以下、右側ボタン部材１４０ｂともいう）は、図７にて示すごとく、部材本体１４０ａに組み付けてなるもので、当該右側ボタン部材１４０ｂは、図１２にて例示するごとく、板状押しボタン１４７と、両ロッド１４４ｂ、１４４ｃと、反射板１４９とを備えている。
【００７４】
右側ボタン部材１４０ｂにおいて、板状押しボタン１４７は、両ボタン部１４７ａ、１４７ｂを、互いにＬ字状の縦断面をなすように延出させるように透光性樹脂材料でもって形成されている。ボタン部１４７ａは、板状押しボタン１４７において、前後方向に延在する上側押しボタンとしての役割を果たすように、ボタン部１４７ｂの上縁部から後方へ延出し、一方、ボタン部１４７ｂは、板状押しボタン１４７において、上下方向に延在する前側押しボタンとしての役割を果たすように、ボタン部１４７ａの前縁部から下方へ延出している。
【００７５】
また、両ボタン部１４７ａ、１４７ｂは、その境界部にて、支持軸１４７ｃを介し、ケーシング１３０の右側支持開口部１３６ｃの内周部のうち開口部位１３２ｃ及び開口部位１３１ｃの左右両境界部位に回動可能に支持されている。
【００７６】
ここで、支持軸１４７ｃは、両ボタン部１４７ａ、１４７ｂの境界部に形成した貫通孔部に貫通されており、当該支持軸１４７ｃは、その両端部にて、ケーシング１３０の右側支持開口部１３６ｃの開口部位１３２ｃ及び開口部位１３１ｃの左右両境界部位に支持されている。これにより、板状押しボタン１４７において、ボタン部１４７ａが、ケーシング１３０の右側支持開口部１３６ｃの開口部位１３１ｃ内にこれを閉塞するように位置するとともに、ボタン部１４７ｂが、ケーシング１３０の右側支持開口部１３６ｃの開口部位１３２ｃ内にこれを閉塞するように位置する。本実施形態では、ボタン部１４７ｂの幅方向中心を通る長さは、ボタン部１４７ａの幅方向中心を通る長さの１．５倍〜２．５倍の範囲以内の長さとなっている。
【００７７】
このように構成した右側ボタン部材１４０ｂの板状押しボタン１４７においては、両ボタン部１４７ａ、１４７ｂが、支持軸１４７ｃを基準として、ボタン部１４７ａに対する上方からの押動操作により図１２にて時計方向に回動する。このような回動は、後述のようなボタン部１４７ａの板状カム１４３ｃのカム面Ｃ２との係合により停止する。
【００７８】
また、両ボタン部１４７ａ、１４７ｂは、支持軸１４７ｃを基準として、ボタン部１４７ｂに対する前方からの押動操作により図１２にて反時計方向に回動する。このような回動は、後述のようなボタン部１４７ｂの板状カム１４３ｃのカム面Ｃ２との係合により停止する。
【００７９】
両ロッド１４４ｂ、１４４ｃのうち、ロッド１４４ｂは、ボタン部１４７ａの左右中央後部から光センサー１４４ａの検出部Ｄである延出端側二股部の間に向けて延出する。一方、ロッド１４４ｃは、ボタン部１４７ｂの上下左右方向中央部から光センサー１４４ａの検出部Ｄである延出端側二股部の間に向けて延出する。
【００８０】
反射板１４９は、両ボタン部１４７ａ、１４７ｂの境界部から光センサー１４４ａの検出部Ｄに向けて傾斜状に延出してなるもので、当該反射板１４９は、右側上方照明発光ダイオード１４５ａから発光される光をボタン部１４７ａに向けて反射する。このことは、右側上方照明部材１４５がボタン部１４７ａを照明する役割を果たすことを意味する。
【００８１】
また、当該反射板１４９は、右側前方照明部材１４６の発光ダイオード１４６ａ（以下、右側前方照明発光ダイオード１４６ａともいう）から発光される光をボタン部１４７ｂに向けて反射する。このことは、右側前方照明部材１４６がボタン部１４７ｂを照明する役割を果たすことを意味する。なお、反射板１４９の両面は、光反射材料による光反射処理がなされている。
【００８２】
左側及び中側の各停止操作部材１４０は、それぞれ、右側停止操作部材１４０と同様に構成されている。
【００８３】
ここで、右側停止操作部材１４０の部材本体１４０ａが収容体１４１にてケーシング１３０の右側支持開口部１３６ｃに支持されるのと同様に、左側停止操作部材１４０においては、部材本体１４０ａが、その収容体１４１にて、ケーシング１３０の左側支持開口部１３６ａに支持されている。これにより、左側停止操作部材１４０の収容体１４１は、ケーシング１３０の左側支持開口部１３６ａにその内側から支持されて、前側開口部１４１ｅ及び上側開口部１４１ｆにて左側支持開口部１３６ａの前方及び上方を臨んでいる。
【００８４】
また、右側停止操作部材１４０の板状押しボタン１４７が、両ボタン部１４７ａ、１４７ｂの境界部にて、ケーシング１３０の右側支持開口部１３６ｃに回動可能に支持されるのと同様に、左側停止操作部材１４０において、部材本体１４０ａの板状押しボタン１４７は、その両ボタン部１４７ａ、１４７ｂの境界部にて、ケーシング１３０の左側支持開口部１３６ａに回動可能に支持されている。これにより、左側停止操作部材１４０の板状押しボタン１４７においては、ボタン部１４７ａが、ケーシング１３０の左側支持開口部１３６ａの開口部位１３１ｂ内に位置するとともに、ボタン部１４７ｂが、ケーシング１３０の左側支持開口部１３６ａの開口部位１３２ｂ内に位置する。
【００８５】
このように構成した右側停止操作部材１４０の板状押しボタン１４７においては、両ボタン部１４７ａ、１４７ｂが、支持軸１４７ｃを基準として、ボタン部１４７ａに対する上方からの押動操作により図７にて時計方向に回動する。このような回動は、後述のようなボタン部１４７ａの板状カム１４３ｃのカム面Ｃ２との係合により規制される。
【００８６】
また、左側停止操作部材１４０の両ボタン部１４７ａ、１４７ｂは、支持軸１４７ｃを基準として、ボタン部１４７ｂに対する前方からの押動操作により図７にて反時計方向に回動する。このような回動は、後述のようなボタン部１４７ｂの板状カム１４３ｃのカム面Ｃ２との係合により規制される。左側停止操作部材１４０のその他の構成は、右側停止操作部材１４０と同様である。
【００８７】
また、右側停止操作部材１４０の部材本体１４０ａが収容体１４１にてケーシング１３０の右側支持開口部１３６ｃに支持されるのと同様に、中側停止操作部材１４０においては、部材本体１４０ａが、その収容体１４１にて、ケーシング１３０の中側支持開口部１３６ｂに支持されている。これにより、中側停止操作部材１４０の収容体１４１は、ケーシング１３０の中側支持開口部１３６ｂにその内側から支持されて、前側開口部１４１ｅ及び上側開口部１４１ｆにて中側支持開口部１３６ｂの前方及び上方を臨んでいる。
【００８８】
また、右側停止操作部材１４０の板状押しボタン１４７が、両ボタン部１４７ａ、１４７ｂの境界部にて、ケーシング１３０の右側支持開口部１３６ｃに回動可能に支持されるのと同様に、中側停止操作部材１４０において、部材本体１４０ａの板状押しボタン１４７は、その両ボタン部１４７ａ、１４７ｂの境界部にて、ケーシング１３０の中側支持開口部１３６ｂに回動可能に支持されている。これにより、中側停止操作部材１４０の板状押しボタン１４７においては、ボタン部１４７ａが、ケーシング１３０の中側支持開口部１３６ｂの開口部位１３１ａ内に位置するとともに、ボタン部１４７ｂが、ケーシング１３０の中側支持開口部１３６ｂの開口部位１３２ａ内に位置する。中側停止操作部材１４０の板状押しボタン１４７においては、両ボタン部１４７ａ、１４７ｂが、支持軸１４７ｃを基準として、ボタン部１４７ａに対する上方からの押動操作により図７にて時計方向に回動する。このような回動は、後述のようなボタン部１４７ａの板状カム１４３ｃのカム面Ｃ２との係合により規制される。
【００８９】
また、中側停止操作部材１４０の両ボタン部１４７ａ、１４７ｂは、支持軸１４７ｃを基準として、ボタン部１４７ｂに対する前方からの押動操作により図７にて反時計方向に回動する。このような回動は、後述のようなボタン部１４７ｂの板状カム１４３ｃのカム面Ｃ２との係合により規制される。中側停止操作部材１４０のその他の構成は、右側停止操作部材１４０と同様である。
【００９０】
回転表示装置２００は、図１或いは図２から分かるごとく、前扉１００ｂの表示窓である上側開口部１１１を通して前方を臨むように、筐体１００の筐体本体１００ａの内部のうち操作装置Ｕの上側に対する対応内部位内に収容支持されている。
【００９１】
当該回転表示装置２００は、図２、図４及び図５のいずれかにて示すごとく、支持枠２１０と、左側、中側及び右側の絵柄回転表示体２２０とを備えている。
【００９２】
支持枠２１０は、図２或いは図４にて示すごとく、枠本体２１０ａと、受け底２１０ｂとを有しており、枠本体２１０ａは、筐体本体１００ａの上記対応内部位内に支持されている。受け底２１０ｂは、枠本体２１０ａの左右両前側支柱２１１の上下方向中間部位に、枠本体２１０ａの前側内部から前方へ延出するように支持されており、当該受け底２１０ｂは、下方へ凸となるように緩やかに湾曲して形成されている。
【００９３】
左側、中側及び右側の絵柄回転表示体２２０は、操作装置Ｕの左側、中側及び右側の各停止操作部材１４０にその直上から対応して位置するように、支持枠２１０により収容されており、当該左側、中側及び右側の絵柄回転表示体２２０は、図２或いは図４にて示すごとく、左側から右側にかけて、順次、支持枠２１０の受け底２１０ｂ上に支持されている。
【００９４】
左側、中側及び右側の絵柄回転表示体２２０のうち、右側絵柄回転表示体２２０は、図４或いは図５にて示すごとく、リールと称する回転ドラム２２１（以下、右側リール２２１ともいう）と、リールモータ２２２（以下、右側リールモータ２２２ともいう）と、左右両側蓋板２２３、２２４とにより構成されている。右側リール２２１は、左右両側蓋板２２３、２２４の間に回転可能に支持されており、当該右側リール２２１の外周面には、その周方向に沿い、複数の互いに異なる絵柄が描写されている。なお、各リールモータ２２１の複数の絵柄は、リールモータ２２１毎に同一である。
【００９５】
左右両側蓋板２２３、２２４は、受け底２１０ｂの右側部位上にて、右側リール２２１を回転可能に維持するように、左右両支持部材２２３ａ、２２４ａにより枠本体２１０ａ内に支持している。
【００９６】
右側リールモータ２２２は、左側蓋板２２３の右側面に同軸的に支持されており、当該右側リールモータ２２２は、その出力軸２２２ａに同軸的に支持してなるピニオン２２２ｂにて、右側リール２２１の中央部に形成した内歯車（図示しない）と噛合するように当該内歯車内に同軸的に嵌装されている。なお、右側リール２２１は、右側リールモータ２２２及び右側蓋板２２４により同軸的にかつ回転可能に支持されている。
【００９７】
このように構成した右側絵柄回転表示体２２０においては、右側リール２２１が、右側リールモータ２２２の一方向回転に伴い、この右側リールモータ２２２と同一方向に回転する。このことは、右側リール２２１の外周面上の複数の絵柄が右側リール２２１の回転方向に移動することを意味する。
【００９８】
左側及び中側の絵柄回転表示体２２０は、それぞれ、右側絵柄回転表示体２２０と同様に構成されている。
【００９９】
ここで、右側絵柄回転表示体２２０が、支持枠２１０に支持されるのと同様に、中側絵柄回転表示体２２０が、右側絵柄回転表示体２２０の左側にて支持枠２１０に支持されるともに、左側絵柄回転表示体２２０が、中側絵柄回転表示体２２０の左側にて支持枠２１０に支持されている。
【０１００】
しかして、左側絵柄回転表示体２２０においては、回転ドラム２２１（以下、左側リール２２１ともいう）が、リールモータ２２２（以下、左側リールモータ２２２ともいう）の一方向回転（右側リールモータ２２２と同一方向回転）に伴い、当該左側リールモータ２２２と同一方向に回転する。このことは、左側絵柄回転表示体２２０においても、左側リール２２１の外周面上の複数の絵柄が左側リール２２１の回転方向に移動することを意味する。
【０１０１】
また、中側絵柄回転表示体２２０においては、回転ドラム２２１（以下、中側リール２２１ともいう）が、リールモータ２２２（以下、中側リールモータ２２２ともいう）の一方向回転（右側リールモータ２２２と同一方向回転）に伴い、当該中側リールモータ２２２と同一方向に回転する。このことは、中側絵柄回転表示体２２０においても、中側リール２２１の外周面上の複数の絵柄が中側リール２２１の回転方向に移動することを意味する。
【０１０２】
本実施形態においては、左側、中側及び右側のリール２２１の各複数の絵柄のうち、リール毎に、上下方向に、３枚ずつの絵柄が、表示窓１１１を通して視認されるようになっている。
【０１０３】
ホッパー装置３００は、図３にて示すごとく、筐体本体１００ａの下部内に収容されており、当該ホッパー装置３００は、多数のコインを払い出されて、払い出し口３１０から前扉１００ｂの開口部を介し前方へ払い出す。
【０１０４】
次に、上記スロットマシンの電気制御回路構成について説明する。当該スロットマシンは、図５に示すごとく、制御回路４００を備えている。この制御回路４００は、マイクロコンピュータからなるもので、当該制御回路４００は、図１６にて示すフローチャートに従いコンピュータプログラムを実行する。
【０１０５】
この実行中において、当該制御回路４００は、スタートスイッチＳＷ１、マックスベットスイッチＳＷ２、左側、中側及び右側光センサー１４４ａ並びにコイン投入センサー１３６の少なくともいずれからの出力に基づき、左側、中側及び右側のリールモータ２２２を駆動する各駆動回路ＤＲ１〜ＤＲ３、左側、中側及び右側のカムモータ１４２を駆動する各駆動回路ＤＲ４〜ＤＲ６、左側、中側及び右側の上方照明ＬＥＤ１４５ａ、左側、中側及び右側の前方照明ＬＥＤ１４０ａを駆動する各駆動回路ＤＲ７〜ＤＲ１２並びに液晶表示装置１２０を表示駆動する駆動回路ＤＲ１３の少なくともいずれかを制御するに要する種々の演算処理を行う。なお、上記コンピュータプログラムは、制御回路４００であるマイクロコンピュータのＲＯＭに読み出し可能に予め記憶されている。
【０１０６】
本実施形態において、スタートスイッチＳＷ１は、スタートレバー１３０ａの下方への回動（或いは上方への回動）に基づきオン（或いはオフ）するように、操作装置Ｕに配設されており、当該スタートスイッチＳＷ１は、そのオンにより、全リールモータ２２２の始動のためのスタート信号を発生して制御回路４００に出力する。なお、当該スタートスイッチＳＷ１は、そのオフにより、スタート信号の発生を停止する。
【０１０７】
マックスベットスイッチＳＷ２は、マックスベットボタン１３０ａの押動（或いはその解除）に基づきオン（或いはオフ）するように、操作装置Ｕに配設されており、当該マックスベットスイッチＳＷ２は、マックスベットのためのマックスベット信号を発生して制御回路４００に出力する。なお、当該マックスベットスイッチＳＷ２は、そのオフにより、マックスベット信号の発生を停止する。
【０１０８】
左側、中側及び右側の光センサー１４４ａは、その検出部Ｄにより、ロッド１４４ｂ或いは１４４ｃの進入を検出したとき、操作検出信号を制御回路４００に出力する。
【０１０９】
ここで、左側、中側或いは右側の光センサー１４４ａの検出部Ｄに対するロッド１４４ｂの進入は、左側、中側或いは右側の板状ボタン１４７の上側ボタン部１４７ａに対する操作に対応し、また、左側、中側或いは右側の光センサー１４４ａの検出部Ｄに対するロッド１４４ｃの進入は、左側、中側或いは右側の板状ボタン１４７の前側ボタン部１４７ｂに対する操作に対応する。
【０１１０】
従って、上記操作検出信号は、左側、中側或いは右側の板状ボタン１４７の上側ボタン部１４７ａに対する操作または左側、中側或いは右側の板状ボタン１４７の前側ボタン部１４７ｂに対する操作に対する検出信号をいう。
【０１１１】
コイン投入センサー１３６は、ケーシング１３０のコイン投入口１３０ｃ内に設けられて、コイン投入口１３０ｃに投入されたコインを検出し、コイン検出信号を発生して、制御回路４００に出力する。
【０１１２】
駆動回路ＤＲ１、駆動回路ＤＲ２及び駆動回路ＤＲ３は、制御回路４００による制御のもとに、それぞれ、左側、中側及び右側のリールモータ２２２を一方向に回転するように駆動する。
【０１１３】
駆動回路ＤＲ４、駆動回路ＤＲ５及び駆動回路ＤＲ６は、制御回路４００による制御のもとに、それぞれ、左側、中側及び右側のカムモータ１４２を一方向（或いは他方向）に回転するように駆動する。
【０１１４】
駆動回路ＤＲ７、駆動回路ＤＲ８及び駆動回路ＤＲ９は、制御回路４００による制御のもとに、それぞれ、左側、中側及び右側の上方照明ＬＥＤ１４５ａを発光駆動する。駆動回路ＤＲ１０、駆動回路ＤＲ１１及び駆動回路ＤＲ１２は、制御回路４００による制御のもとに、それぞれ、左側、中側及び右側の前方照明ＬＥＤ１４６ａを発光駆動する。
【０１１５】
駆動回路ＤＲ１３は、制御回路４００の制御のもと、液晶表示装置１２０を表示するように駆動する。
【０１１６】
以上のように構成した本実施形態において、当該スロットマシンがゲーム可能状態におかれているものとする。このような段階では、制御回路４００が、図１６のフローチャートに従いコンピュータプログラムの実行を開始して、ステップ４１０において、ゲームの開始条件の成立か否かを判定する。このとき、操作装置Ｕにおいては、左側、中側及び右側の停止操作部材１４０の各板状押しボタン１４７が、図１２にて示すように中立位置に維持されている。このため、左側、中側及び右側の光センサー１４４ａは、各対応の両ロッド１４４ｂ、１４４ｃの進入を検出しない状態にある。また、左側、中側及び右側の停止操作部材１４０の各カム機構１４３においては、板状カム１４３ｃが、図１２にて示す回動位置にある。このため、各板状押しボタン１４７は、各対応の板状カム１４３ｃのカム面から解離した状態にある。
【０１１７】
しかして、現段階においては、遊技者が、当該スロットマシンにおいてゲームの開始のための操作をなにもしていないことから、ステップ４１０において、ＮＯとの判定が繰り返されている。
【０１１８】
このような段階において、遊技者が１枚のコインをコイン投入口１３０ｃに投入するとともに、スタートレバー１３０ａを押動操作する。これに伴い、コイン投入センサー１３６が、コイン投入検出信号を発生して制御回路４００に出力するとともに、スタートスイッチＳＷ１が、スタートレバー１３０ａの押動操作に応答してスタート信号を発生して制御回路４００に出力する。
【０１１９】
すると、ステップ４１０において、上述したコイン投入検出信号及びスタート信号に基づき、ゲームの開始条件の成立として、ＹＥＳと判定される。ついで、ステップ４１１における投入コイン枚数の表示処理において、液晶表示装置１２０が、コイン投入センサー１３６からのコイン投入検出信号に基づき、液晶パネル１２１にて、投入コイン枚数が１枚である旨表示するとともに、ステップ４１２における全リールモータの同時始動処理において、各モータ駆動信号が、それぞれ、所定の同一時間の間、各駆動回路ＤＲ１、ＤＲ２及びＤＲ３に出力される。
【０１２０】
これに伴い、回転表示装置２００の左側、中側及び右側の絵柄回転表示体２２０において、左側、中側及び右側のリールモータ２２２が、上述の各モータ駆動信号に基づき、駆動回路ＤＲ１、ＤＲ２及びＤＲ３により駆動されて、ともに、上記所定の同一時間の間、同一の回転方向に回転する。このため、各リールモータ２２２の外周面に描写した複数の絵柄が、同一方向に移動する。従って、このように移動する各リールモータ２２２の絵柄が、遊技者により、前扉１００ｂの表示窓１１１を通して視認され得る。なお、上記所定の同一時間は、遊技者がスタートレバー１３０ａの押動操作毎にゲームを終了するに要する長さに設定されている。
【０１２１】
ステップ４１２の処理後、次のステップ４２０において、全押しボタンが操作されたか否かが判定される。現段階においては、遊技者が、表示窓１１１の表示内容に基づき左側、中側及び右側の押しボタン１４７を押すタイミングを見計らっている状態にあることから、ステップ４２０における判定はＮＯとなる。
【０１２２】
然る後、遊技者が、左側、中側及び右側の押しボタン１４７を押すタイミングの到来と判断すると、当該遊技者は、左側、中側及び右側の押しボタン１４７を、順次、押す。この場合、左側、中側及び右側の押しボタン１４７の各々を押す順序は、どのような順序であってもよく、左側、中側及び右側の押しボタン１４７が全て押されればよい。
【０１２３】
ここで、遊技者が左側、中側及び右側の押しボタン１４７を押すにあたっては、遊技者の好みがある。このため、従来のスロットマシンにおいては、その機種によって、リールを停止させる押しボタンの構成が、上側から押す形式のものと、前側から押す形式のものに大きく分かれている。
【０１２４】
従って、遊技者が上側から押す形式の押しボタンの構成を好みとする場合には、上側から押す形式の押しボタンの構成を有する機種のスロットマシンを選択する。また、遊技者が前側から押す形式の押しボタンの構成を好みとする場合には、前側から押す形式の押しボタンの構成を有する機種のスロットマシンを選択する。
【０１２５】
このようなことを考慮して、本実施形態では、左側、中側及び右側の押しボタン１４７が、それぞれ、上側ボタン部１４７ａ及び前側ボタン部１４７ｂを一体に備えるように構成されている。
【０１２６】
従って、遊技者が上側から押す形式の押しボタンの構成を好みとする場合には、当該遊技者は、図１９にて例示するごとく、例えば、右手により、左側、中側及び右側の押しボタン１４７の各上側ボタン部１４７ａを、順次、上側から叩くように操作する。
【０１２７】
この場合、遊技者は、図１９から分かるように、右手の人差し指１本、人差し指及び中指の２本或いは親指以外の４本の指でもって、手首のスナップを効かすようにして、各上側ボタン部１４７ａを、順次、叩くように操作する。
【０１２８】
また、遊技者が前側から押す形式の押しボタンの構成を好みとする場合には、当該遊技者は、図２０及び図２１にて例示するごとく、例えば、右手の人差し指により、左側、中側及び右側の押しボタン１４７の各前側ボタン部１４７ｂを、順次、前側から押すように操作する。
【０１２９】
この場合、遊技者は、図２０或いは図２１から分かるように、右手を軽く握り親指だけを水平に突き出すとともに右手の甲を上にして手首をくの字に曲げた状態にて、甲を押し上げつつ突きだした親指を下側から上げるようにして、親指により各前側ボタン部１４７ｂをその前側から順次押すように操作する。
【０１３０】
これにより、遊技者の好みに応じた押しボタンの構成が、単一のスロットマシンにおいて、確保されることとなり、その結果、遊技者は、自己の好みに合ったスロットマシンでもってゲームを快適に行うことができるのは勿論のこと、スロットマシンによるゲームを行うにあたり、好みにあった押しボタンの構成を有する機種のスロットマシンをわざわざ探す必要もない。
【０１３１】
また、上述のように各前側ボタン部１４７ｂをその前側から押す状態を繰り返している間に、遊技者が疲れを感じるようになった場合には、当該遊技者は、自己の好みではないが、上述のように各上側ボタン部１４７ａを叩くようにすることもできて、便利である。
【０１３２】
また、左側、中側及び右側の板状押しボタン１４７の各々において、前側ボタン部１４７ｂ及び上側ボタン部１４７ａが一体的に形成されているので、部品点数の減少を確保することができる。
【０１３３】
上述のように左側、中側或いは右側の板状押しボタン１４７において、上側ボタン部１４７ａが上側から叩かれると、左側、中側或いは右側の板状押しボタン１４７が、支持軸１４７ｃを軸として、図１２の中立位置から図１３に示す回動位置にかけて図示時計方向に回動する。このことは、上側ボタン部１４７ａ及び前側ボタン部１４７ｂが、左側、中側或いは右側の板状押しボタン１４７と同一方向に回動することを意味する。
【０１３４】
これに伴い、ロッド１４４ｂが、その先端部にて、左側、中側或いは右側の光センサー１４４ａの検出部Ｄ内に進入する。これにより、左側、中側或いは右側の光センサー１４４ａは、上述のようなロッド１４４ｂの進入に基づき、左側、中側或いは右側の板状ボタン１４７の上側ボタン部１４７ａに対する操作を表す操作検出信号（以下、上側操作検出信号ともいう）を発生して制御回路４００に出力する。
【０１３５】
また、上述のように左側、中側或いは右側の板状押しボタン１４７において、前側ボタン部１４７ｂが前側から押されると、左側、中側或いは右側の板状押しボタン１４７が、支持軸１４７ｃを軸として、図１２の中立位置から図１４に示す回動位置にかけて図示反時計方向に回動する。このことは、上側ボタン部１４７ａ及び前側ボタン部１４７ｂが、左側、中側或いは右側の板状押しボタン１４７と同一方向に回動することを意味する。
【０１３６】
これに伴い、ロッド１４４ｃが、その先端部にて、左側、中側或いは右側の光センサー１４４ａの検出部Ｄ内に進入する。これにより、左側、中側或いは右側の光センサー１４４ａは、上述のようなロッド１４４ｃの進入に基づき、左側、中側或いは右側の板状ボタン１４７の前側ボタン部１４７ｂに対する操作を表す操作検出信号（以下、前側操作検出信号ともいう）を発生して制御回路４００に出力する。
【０１３７】
以上のように、左側、中側及び右側の板状押しボタン１４７が、いずれも、上側ボタン部１４７ａ及び前側ボタン部１４７ｂでもって、一体的に構成されているため、左側、中側及び右側の板状押しボタン１４７の各々において、各ロッド１４４ｂ、１４４ｃを、上側ボタン部１４７ａ及び前側ボタン部１４６ｂから光センサー１４４ａの検出部Ｄに向け延出させることで、左側、中側及び右側の板状押しボタン１４７のいずれにおいても、上述のような上側ボタン部１４７ａ及び前側ボタン部１４６ｂに対する各操作を光センサー１４４ａにより検出するようにした。
【０１３８】
従って、左側、中側及び右側の停止操作部材１４０のいずれにおいても、板状押しボタン１４７に対する上側及び前側に対する操作が、単一の光センサー１４４ａでもって検出されることとなる。その結果、上側ボタン部１４７ａ及び前側ボタン部１４６ｂの各操作を検出するにあたり、上側ボタン部１４７ａ及び前側ボタン部１４６ｂの各々に対応するように、別々に光センサーを採用する必要がなく、左側、中側及び右側の停止操作部材１４０における各検出機構を簡単な構成とし得る。
【０１３９】
上述のように、左側、中側及び右側の押しボタン１４７が、それぞれ、上側ボタン部１４７ａ或いは前側ボタン部１４７ｂにて操作されることで、左側、中側及び右側の光センサー１４４ａから上側或いは前側の操作検出信号が出力されると、全押しボタン１４７が操作されたことになる。このため、ステップ４２０（図１６参照）における判定はＹＥＳとなる。
【０１４０】
すると、次のステップ４２１において、各リールモータの順次停止処理がなされる。この順次停止処理においては、ステップ４１２にて制御回路４００から出力されていた各モータ駆動信号が、左側、中側及び右側の押しボタン１４７に対する上記各操作の順序でもって、停止される。これに伴い、左側、中側及び右側の絵柄回転表示体２２０のリールモータ２２２が、各駆動回路ＤＲ１、ＤＲ２及びＤＲ３により、各モータ駆動信号の上記停止順序でもって、停止される。このため、左側、中側及び右側の絵柄回転表示体２２０のリール２２１が、各リールモータ２２２の停止順序にて停止する。
【０１４１】
すると、左側リール２２１の複数の絵柄の一部の絵柄、中側リール２２１の複数の絵柄の一部の絵柄及び右側リール２２１の複数の絵柄の一部の絵柄が、ともに、停止状態にて、表示窓１１１を通して視認されることとなる。
【０１４２】
ステップ４２１の処理後、次のステップ４３０において、特賞か否かが判定される。ここで、特賞とは、所謂、大当たりであって、レギュラーボーナス及びビッグボーナス（３回分のレギュラーボーナスに相当）のいずれかをいう。なお、レギュラーボーナスでは、所定枚数、例えば、１５枚のコインが払い出しとなる。
【０１４３】
また、表示窓１１１を通して視認される左側、中側及び右側のリール２２１の各絵柄の組み合わせの配列のうち、同一の絵柄が、表示窓１１１の上下方向中央において左右方向に並ぶ配列（以下、左右方向配列ともいう）、表示窓１１１の左上から右下への斜め方向に並ぶ配列（以下、右下がり斜め方向配列ともいう）、或いは表示窓１１１の左下から右上への斜め方向に並ぶ配列（以下、右上がり斜め方向配列ともいう）となるように並ぶことが、特賞に対応する。なお、上記ビッグボーナスの場合の各絵柄の組み合わせの配列における同一の絵柄は、例えば、数字の「７」である。また、上記レギュラーボーナスの場合の各絵柄の組み合わせの配列における同一の絵柄は、例えば、横バーである「−」である。
【０１４４】
但し、上記左右方向配列、右下がり斜め方向配列及び右上がり斜め方向配列は、それぞれ、コインをコイン投入口１３０ｃに対し１枚、２枚及び３枚を投入した場合に対応する。なお、本実施形態では、上記左右方向配列、右下がり斜め方向配列及び右上がり斜め方向配列は、制御回路４００であるマイクロコンピュータのＲＯＭに予め読み出し可能に絵柄配列データとして記憶されている。
【０１４５】
現段階では、上述のごとく、操作装置Ｕのコイン投入口１３０ｃに対する投入コインの数は１枚である。従って、上述のように表示窓１１１を通して視認される左側、中側及び右側のリール２２１の各絵柄が、同一の絵柄でもって、左右方向に一列に並ぶ組み合わせの配列、即ち、上記左右方向配列でなければ、ステップ４３０においてＮＯと判定される。
【０１４６】
然る後、次のステップ４４０において、子役か否かが判定される。ここで、子役とは、所謂、小さな当たりをいい、上記左右方向配列、右下がり斜め方向配列或いは右上がり斜め方向配列において並ぶ同一の絵柄は、例えば、ベル、プラム或いはチェリーである。なお、コインの払い出し枚数は、例えば、ベルの場合、１０枚であり、プラムの場合、５枚であり、チェリーの場合、２枚である。
【０１４７】
ここで、現段階では、上述のごとく、操作装置Ｕのコイン投入口１３０ｃに対する投入コインの数は１枚である。上述のように表示窓１１１を通して視認される左側、中側及び右側のリール２２１の各絵柄の配列が、入賞絵柄であるベル、プラム或いはチェリーの配列であって、上記左右方向配列でなければ、子役でないことから、ステップ４４０における判定はＮＯとなる。
【０１４８】
一方、子役であれば、ステップ４４０においてＹＥＳと判定される。ついで、ステップ４４１におけるコイン払い出し処理において、上記左右方向配列の各絵柄が、例えば、ベルであれば、コインの払い出し枚数が１０枚である。従って、コイン１０枚がホッパー装置３００により払い出し口１１２から払い出される。
【０１４９】
上述のように上記コンピュータプログラムがステップ４３０に進んだとき、現段階では、上述のごとく、操作装置Ｕのコイン投入口１３０ｃに対する投入コインの数は１枚であることから、上述のように表示窓１１１を通して視認される左側、中側及び右側のリール２２１の各絵柄の配列が、入賞絵柄である数字「７」の配列であって、上記左右方向配列であれば、ビッグボーナス或いはレギュラーボーナスの特賞であって、当該ステップ４３０において、ＹＥＳと判定される。
【０１５０】
しかして、上述のようにステップ４３０にてＹＥＳと判定されると、次のステップ４３１（図１７参照）において、ＡＴ抽選処理がなされる。ここで、当該ＡＴ抽選処理において、「ＡＴ」とは、アシストタイムを表す。また、このアシストタイムになされるＡＴゲーム処理（後述する）は、所定の順番で左側、中側及び右側の押しボタン１４７を操作することにより、子役の入賞絵柄がベル、プラム或いはチェリーでもって並ぶように、左側、中側及び右側のリール２２１が停止するように制御される遊技処理であって、遊技者が上述のように所定の順番で左側、中側及び右側の押しボタン１４７を操作し易いように、当該左側、中側及び右側の押しボタン１４７のボタン部との関連における操作順序を液晶表示装置１２０により予告表示することで、遊技者による子役入賞によるコイン獲得をアシスト（助勢）する処理である。
【０１５１】
しかして、ステップ４３１におけるＡＴ抽選処理においては、ステップ４３０において特賞と判定されたことに基づきセットされる乱数を、ＡＴ当選に対応する所定乱数と照合する処理がなされる。なお、当該所定乱数は、制御回路４００であるマイクロコンピュータのＲＯＭに予め読み出し可能に記憶されている。
【０１５２】
そして、この照合の結果、上記セット乱数が上記所定乱数と一致しておれば、ステップ４５０において、ＹＥＳと判定され、ついで、ステップ４５１において、ＡＴフラグがＦ＝１とセットされる。ここで、ＡＴフラグＦ＝１は、ＡＴ当選を表す。一方、上記照合の結果、上記セット乱数が上記所定乱数と一致していなければ、ステップ４５０においてＮＯと判定される。
【０１５３】
しかして、上述のようにステップ４５１におけるＦ＝１とのセット処理或いはステップ４５０におけるＮＯとの判定処理がなされると、次のステップ４５０ａにおいて、特賞ゲーム処理がなされる。この特賞ゲーム処理においては、ステップ４３０にて判定済みの特賞が、レギュラーボーナスであれば、コイン１５枚が、ホッパー装置３００により払い出し口１１２から払い出される。また、ステップ４３０にて判定済みの特賞が、ビッグボーナスであれば、コインが、１５枚ずつ、３回に亘り、ホッパー装置３００により払い出し口１１２から払い出される。
【０１５４】
しかして、上記払い出しがなされると、ステップ４６０において、ＹＥＳと判定される。これに伴い、ステップ４７０において、Ｆ＝１か否かが判定される。現段階では、ステップ４５１にてＡＴフラグＦ＝１とセット済みであることから、ステップ４７０における判定はＹＥＳとなる。これに伴い、制御回路４００が、次のＡＴゲーム処理ルーティン４７１を実行する。
【０１５５】
このＡＴゲーム処理ルーティン４７１では、ステップ４７１ａ（図１８参照）において、全押しボタンにおける操作対象ボタン部の所定操作順序のセット処理がなされる。このセット処理においては、左側ボタン４７１の上側ボタン部４７１ａ、右側押しボタン４７１の上側ボタン部４７１ａ及び中側ボタン４７１の前側ボタン部４７１ｂが、それぞれ、この順序（所定操作順序）で操作される操作対象ボタン部としてセットされる。本実施形態では、上記所定操作順序は、乱数と操作順序との複数の関係を表す操作順序データに基づき、現時点の乱数に応じてセットされる。なお、上記操作順序データは、制御回路４００であるマイクロコンピュータのＲＯＭに予め読み出し可能に記憶されている。
【０１５６】
ステップ４７１ａの処理後、次のステップ４７１ｂにおいて、各操作対象ボタン部の操作順序予告処理がなされる。ここでは、上述したボタン部の所定操作順序が、予告表示データとして制御回路４００から駆動回路ＤＲ１３に出力される。これに伴い、液晶表示装置１２０が、制御回路４００からの予告表示データに基づき駆動回路ＤＲ１３により駆動されて、液晶パネル１２１により、上述したボタン部の所定操作順序を予告表示する。このため、遊技者は、ＡＴゲーム処理におけるボタン部の所定操作順序を予め視認し得る。
【０１５７】
ステップ４７１ｂの処理後、ステップ４７１ｃにおいて、全操作対象ボタン部の照明処理がなされる。この照明処理においては、ステップ４７１ａにおける各操作対象ボタン部を照明するために、左側上方照明信号、右側上方照明信号及び中側前方照明信号が、制御回路４００から駆動回路ＤＲ７、駆動回路ＤＲ９及び駆動回路ＤＲ８に出力される。
【０１５８】
すると、左側上方照明ＬＥＤ１４５ａが、上記左側上方照明信号に基づき駆動回路ＤＲ７により駆動されて発光し、右側上方照明ＬＥＤ１４５ａが、上記右側上方照明信号に基づき駆動回路ＤＲ９により駆動されて発光し、かつ、中側前方照明ＬＥＤ１４６ａが、上記中側上方照明信号に基づき駆動回路ＤＲ８により駆動されて発光する。
【０１５９】
このように左側上方照明ＬＥＤ１４５ａ、右側上方照明ＬＥＤ１４５ａ及び中側前方照明ＬＥＤ１４６ａが発光すると、左側上方照明ＬＥＤ１４５ａからの光が左側停止操作部材１４０の反射板１４９により上方へ反射されて左側押しボタン１４７の上側ボタン部１４７ａに入射する。これにより、左側押しボタン１４７の上側ボタン部１４７ａが左側上方照明ＬＥＤ１４５ａからの光により照明される。
【０１６０】
また、右側上方照明ＬＥＤ１４５ａからの光が右側停止操作部材１４０の反射板１４９により上方へ反射されて右側押しボタン１４７の上側ボタン部１４７ａに入射する。これにより、右側押しボタン１４７の上側ボタン部１４７ａが右側上方照明ＬＥＤ１４５ａからの光により照明される。
【０１６１】
また、中側前方照明ＬＥＤ１４６ａからの光が中側停止操作部材１４０の反射板１４９により前方へ反射されて中側押しボタン１４７の前側ボタン部１４７ｂに入射する。これにより、中側押しボタン１４７の前側ボタン部１４７ｂが中側前方照明ＬＥＤ１４６ａからの光により照明される。
【０１６２】
従って、左側押しボタン１４７の上側ボタン部１４７ａ、右側押しボタン１４７の上側ボタン部１４７ａ及び中側押しボタン１４７の前側ボタン部１４７ｂがそれぞれ照明されて明るくなる。これにより、遊技者は、上記所定操作順序で操作すべき各操作対象ボタン部を良好に視認し得る。
【０１６３】
ついで、ステップ４７１ｃの処理後、ステップ４７１ｄにおいて、全押しボタンにおける非操作対象ボタン部のロック処理がなされる。
【０１６４】
現段階において、全押しボタンにおける非操作対象ボタン部は、左側押しボタン１４７の前側ボタン部１４７ｂ、右側押しボタン１４７の前側ボタン部１４７ｂ及び中側押しボタン１４７の上側ボタン部１４７ａである。
【０１６５】
従って、上記ロック処理においては、左前側ボタン部ロック信号、右前側ボタン部ロック信号及び中上側ボタン部ロック信号が、制御回路４００により、駆動回路ＤＲ４、駆動回路ＤＲ６及び駆動回路ＤＲ５に出力される。
【０１６６】
これに伴い、左側停止操作部材１４０のカム機構１４３においては、板状カム１４３ｃが、図２２にて示す位置から図２３にて示す位置まで時計方向にピニオン１４３ａ及び被動ギア１４３ｂを介して回動するように、左側カムモータ１４２が上記左前側ボタン部ロック信号に基づき駆動回路ＤＲ４により駆動される。
【０１６７】
これにより、左側停止操作部材１４０のカム機構１４３においては、板状カム１４３ｃが、そのカム面Ｃ１の一側端部にて、左側押しボタン１４７の前側ボタン部１４７ｂにその後方から当接してロックするとともに、そのカム面Ｃ２にて、左側押しボタン１４７の上側ボタン部１４７ａに下方から間隙をおいて対向する。このことは、左側押しボタン１４７の前側ボタン部１４７ｂを操作不能にロックしつつ左側押しボタン１４７の上側ボタン部１４７ｂの操作可能にすることを意味する。
【０１６８】
また、右側停止操作部材１４０のカム機構１４３においては、板状カム１４３ｃが、同様に、図２２にて示す位置から図２３にて示す位置まで時計方向にピニオン１４３ａ及び被動ギア１４３ｂを介して回動するように、右側カムモータ１４２が上記右前側ボタン部ロック信号に基づき駆動回路ＤＲ６により駆動される。
【０１６９】
これにより、右側停止操作部材１４０のカム機構１４３においては、板状カム１４３ｃが、そのカム面Ｃ１の一側端部にて、右側押しボタン１４７の前側ボタン部１４７ｂにその後方から当接してロックするとともに、そのカム面Ｃ２にて、右側押しボタン１４７の上側ボタン部１４７ａに下方から間隙をおいて対向する。このことは、右側押しボタン１４７の前側ボタン部１４７ｂを操作不能にロックしつつ右側押しボタン１４７の上側ボタン部１４７ｂの操作可能にすることを意味する。
【０１７０】
また、中側停止操作部材１４０のカム機構１４３においては、板状カム１４３ｃが、同様に、図２２にて示す位置から図２５にて示す位置まで反時計方向にピニオン１４３ａ及び被動ギア１４３ｂを介して回動するように、中側カムモータ１４２が上記中上側ボタン部ロック信号に基づき駆動回路ＤＲ５により駆動される。
【０１７１】
これにより、中側停止操作部材１４０のカム機構１４３においては、板状カム１４３ｃが、そのカム面Ｃ１の他側端部にて、中側押しボタン１４７の上側ボタン部１４７ａにその下方から当接してロックするとともに、そのカム面Ｃ２にて、中側押し押しボタン１４７の上側ボタン部１４７ａに下方から間隙をおいて対向する。このことは、中側押しボタン１４７の上側ボタン部１４７ａを操作不能にロックしつつ中側押しボタン１４７の前側ボタン部１４７ｂの操作可能にすることを意味する。
【０１７２】
然る後、ステップ４７１ｅにおいて、各操作対象ボタン部が所定操作順序で操作されたか否かが判定される。現段階において、いまだ当該操作が終了していなければ、左側停止操作部材１４０、右側停止操作部材１４０及び中側停止操作部材１４０の各光センサー１４４ａが共に操作検出信号を発生していないことから、ステップ４７１ｅにおける判定はＮＯとなる。
【０１７３】
このような状態においては、左側押しボタン１４７の上側ボタン部１４７ａ、中側押しボタン１４７の前側ボタン部１４７ｂ及び右側押しボタン１４７の上側ボタン部１４７ａが、共に、上述したごとく、明るく照明されている。このため、遊技者は各操作対象ボタン部を良好に視認し得る。
【０１７４】
しかも、上記所定操作順序、即ち、左側押しボタン１４７の上側ボタン部１４７ａ、右側押しボタン１４７の上側ボタン部１４７ａ及び中側押しボタン１４７の前側ボタン部１４７ｂが、この順序で操作されることが、液晶パネル１２１により表示されている。
【０１７５】
このようなことから、遊技者は、左側押しボタン１４７の上側ボタン部１４７ａ、右側押しボタン１４７の上側ボタン部１４７ａ及び中側押しボタン１４７の前側ボタン部１４７ｂを、この順序で誤りなく、操作することができる。
【０１７６】
即ち、遊技者は、右手の手首のスナップを効かすようにして、人差し指及び中指の２本或いは親指以外の４本の指でもって、左側押しボタン１４７の上側ボタン部１４７ａを上方から叩くように操作する。
【０１７７】
ついで、遊技者は、同様にして、右手の手首のスナップを効かすようにして、人差し指及び中指の２本或いは親指以外の４本の指でもって、右側押しボタン１４７の上側ボタン部１４７ａを上方から叩くように操作する。さらに、遊技者は、右手の人差し指により、中側押しボタン１４７の前側ボタン部１４７ｂを前側から押すように操作する。
【０１７８】
このような操作にあたり、前側ボタン部１４７ｂの幅方向中心を通る長さは、上述のごとく、上側ボタン部１４７ａの幅方向中心を通る長さの１．５倍〜２．５倍の範囲以内の長さとなっている。従って、上述のように遊技者が右手の人差し指により中側押しボタン１４７の前側ボタン部１４７ｂを前側から押すように操作するにあたり、この操作が容易にかつ円滑になされ得る。
【０１７９】
上述のように順次操作がなされると、左側停止操作部材１４０においては、押しボタン１４７が、上側ボタン部１４７ａ及び前側ボタン部１４７ｂにて、支持軸１４７ｃを軸として、図２３にて示す位置から図２４にて示すように時計方向に回動する。これに伴い、左側停止操作部材１４０において、ロッド１４４ｂが、コイルスプリング１４４ｄに抗して左側光センサー１４４ａの検出部Ｄ内に進入する。このため、左側光センサー１４４ａは、左側押しボタン１４７の上側ボタン部１４７ａの操作を表す操作検出信号を発生し制御回路４００に出力する。
【０１８０】
ついで、右側停止操作部材１４０においては、押しボタン１４７が、同様に、上側ボタン部１４７ａ及び前側ボタン部１４７ｂにて、支持軸１４７ｃを軸として、図２３にて示す位置から図２４にて示すように時計方向に回動する。これに伴い、右側停止操作部材１４０において、ロッド１４４ｂが、コイルスプリング１４４ｄに抗して右側光センサー１４４ａの検出部Ｄ内に進入する。このため、右側光センサー１４４ａは、右側押しボタン１４７の上側ボタン部１４７ａの操作を表す操作検出信号を発生し制御回路４００に出力する。
【０１８１】
然る後、中側停止操作部材１４０においては、押しボタン１４７が、上側ボタン部１４７ａ及び前側ボタン部１４７ｂにて、支持軸１４７ｃを軸として、図２３にて示す位置から図２６にて示すように反時計方向に回動する。これに伴い、中側停止操作部材１４０において、ロッド１４４ｃが、コイルスプリング１４４ｅに抗して中側光センサー１４４ａの検出部Ｄ内に進入する。このため、中側光センサー１４４ａは、中側押しボタン１４７の前側ボタン部１４７ｂの操作を表す操作検出信号を発生し制御回路４００に出力する。
【０１８２】
以上のようにして左側光センサー１４４ａ、右側光センサー１４４ａ及び中側光センサー１４４ａが、この順序で、操作検出信号を発生し制御回路４００に出力すると、各操作対象ボタン部が上記所定操作順序にて操作されたことになる。このため、ステップ４７１ｅにおいてＹＥＳと判定される。
【０１８３】
ここで、上述のような各操作にあたり、遊技者が順序を間違えて、中側押しボタン１４７の前側ボタン部１４７ｂを、右側押しボタン１４７の上側ボタン部１４７ａよりも操作すると、左側光センサー１４４ａ、中側光センサー１４４ａ及び右側光センサー１４４ａが、この順序で、操作検出信号を発生して制御回路４００に出力することとなる。このことは、各操作対象ボタン部が上記所定操作順序とは異なる順序で操作されたことになる。
【０１８４】
また、各操作対象ボタン部が上述のごとく照明されているにもかかわらず、遊技者が、誤って、左側押しボタン１４７の前側ボタン部１４７ｂ、右側押しボタン１４７の前側ボタン部１４７ｂ及び中側押しボタン１４７の上側ボタン部１４７ａである各非操作対象ボタン部のいずれかを操作しようとしても、これら各非操作対象ボタン部は、上述のごとく、各対応の板状カム１４３ｃのカム面Ｃ１との当接によりロックされているため、回動しない。従って、操作しようとした非対象ボタン部を有する停止操作部材１４０の光センサー１４４ａは操作検出信号を発生しない。
【０１８５】
よって、これらのような誤操作が伴う場合には、各操作対象ブタン部が上記所定操作順序で操作されたことにならず、ステップ４７１ｅにおける判定はＮＯとなる。このような場合には、誤操作を是正して正しいボタン部を操作することで、上記所定操作順序による操作が満たされれば、ステップ４７１ｅにおける判定はＹＥＳとなる。
【０１８６】
しかして、以上のようにしてステップ４７１ｅにてＹＥＳと判定されると、次のステップ４７１ｆにおけるコイン払い出し処理において、子役当選の場合と同様にコインがホッパー装置３００からコイン払い出し口１１１から払い出される。
【０１８７】
然る後、ステップ４８０（図１７参照）において、ＡＴゲームが所定回数終了したか否かが判定される。現段階では、ＡＴゲームが１回終了したのみであることから、ステップ４８０における判定はＮＯとなる。なお、上記所定回数は、例えば、３回をいう。
【０１８８】
しかして、ステップ４８０におけるＮＯとの判定のもとに、ＡＴゲームルーチン４７１が、上述と同様に２回繰り返されると、ステップ４８０における判定はＹＥＳとなる。これに伴い、ＡＴフラグはＦ＝０とクリアされる。
【０１８９】
なお、ＡＴゲーム処理ルーチン４７１における所定操作順序は、上述した操作順序に限ることなく、適宜変更することで、ＡＴゲームを多様化させることができる。例えば、上記コンピュータプログラムがステップ４７１ａに達するごとに、所定操作順序の内容を変更することで、上記多様化を確保し得る。ここで、変更された操作順序に伴い、非操作対象となるボタン部を照明するように、各ＬＥＤ１４５ａ、１４６ａを駆動制御すればよい。
【０１９０】
以上説明したように、本実施形態によれば、左側、中側及び右側の停止操作部材１４０が、それぞれ、板状ボタン１４７を有している。各板状ボタン１４７は、筐体１００から前側へ突出するケーシング１３０の上壁部１３１及び前壁部１３２に亘り左右に形成したＬ字状の各開口部１３６ａ、１３６ｂ及び１３６ｃに回動可能に支持されており、各板状ボタン１４７は、各開口部１３６ａ、１３６ｂ及び１３６ｃの上側部位内に位置する上側ボタン部１４７ａと、この上側ボタン部１４７ａの前端部から下方に向けて延出して各開口部１３６ａ、１３６ｂ及び１３６ｃの前側部位内に位置する前側ボタン部１４７ｂとを、一体的に備えて形成されている。
【０１９１】
このように、各板状ボタン１４７を形成することで、遊技者の好みに応じた停止操作部材の構成を、単一のスロットマシンにおいて確保するようにした。その結果、遊技者は、自己の好みに合ったスロットマシンでもってゲームを快適に行うことができるのは勿論のこと、スロットマシンによるゲームを行うにあたり、好みにあった停止操作部材の構成を有する機種のスロットマシンをわざわざ探す必要もない。
【０１９２】
また、前側ボタン部１４７ｂを繰り返し操作してゲームをしている間に、遊技者が疲れを感じるようになった場合には、当該遊技者は、自己の好みではないが、上側ボタン部１４７ａを操作してゲームをすることもできて、便利である。
【０１９３】
また、停止操作部材１４０において、上側ボタン部１４７ａ及び前側ボタン部１４７ｂが上述のごとく一体的に形成されているので、停止操作部材の部品点数の減少を確保することができる。
【０１９４】
また、左側、中側或いは右側の停止操作部材１４０ごとに、その上側ボタン部１４７ａ及び前側ボタン部１４７ｂのいずれかに対する操作を検出すべく、光センサー１４４ａ、両ロッド１４４ｂ、１４４ｃ及び両コイルスプリング１４４ｄ、１４４ｅが、単一のスイッチ機構としての役割を果たすので、上側ボタン部１４７ａ及び前側ボタン部１４７ｂに対する各操作を検出するにあたり、別々のスイッチ機構を設ける必要がない。
【０１９５】
また、左側、中側或いは右側の停止操作部材１４０ごとに、その前側ボタン部１４７ｂは、上側ボタン部１４７ａの突出長さの１．５倍〜２．５倍の範囲以内の長さだけ、長く延出するように構成されているので、前側ボタン部１４７ｂに対する前方からの操作を容易にすることができる。
【０１９６】
また、上述のような各停止操作部材１４０の構成のもとに、制御回路４００でもって、図１６〜図１８にて示すフローチャートに従い、上述のごとく、特賞ゲーム、子役ゲーム及びＡＴゲームを行うようにした。これにより、特賞ゲーム、子役ゲーム及びＡＴゲームが、良好になされ得る。
【０１９７】
ここで、上述のごとく、上記所定操作順序が液晶パネル１２１により表示され、かつ、上記所定操作順序で操作される各操作対象ボタン部が照明されていることから、上記所定操作順序による各操作対象ボタン部の操作が、正しく、円滑になされ得る。また、上記所定操作順序で操作される各操作対象ボタン部以外の各非操作対象ボタン部が、上述のごとく、各対応の板状カムにより操作不能にロックされているから、各非操作対象ボタン部を誤操作することがあっても、この誤操作が光センサーにより検出されることがない。従って、正しい各操作対象ボタン部を操作し直せばよい。
【０１９８】
なお、本発明の実施にあたり、上記実施形態に限ることなく、次のような種々の変形例が挙げられる。
（１）本発明の実施にあたり、上記実施形態にて述べた回転表示装置２００に代えて、液晶表示装置を採用して、この液晶表示装置により、左側、中側及び右側の各リールの複数の絵柄を、それぞれ、上下方向に変動表示するようにしてもよい。
（２）本発明の実施にあたり、上記実施形態にて述べたスロットマシンに限ることなく、回胴式遊技機（所謂、パチスロ）等の各種遊技機に本発明を適用してもよい。
【符号の説明】
【０１９９】
Ｕ…操作装置、１００…筐体、１３０…ケーシング、１３１…上側壁部、
１３２…前側壁部、１４０…停止操作部材、１４４ａ…光センサー、
１４４ｂ、１４４ｃ…ロッド、１４４ｄ、１４４ｅ…コイルスプリング、
１４７ａ…上側ボタン部、１４７ｂ…前側ボタン部、２００…回転表示装置。
【図１】
0005944136.tif 000002
【図２】
0005944136.tif 000003
【図３】
0005944136.tif 000004
【図４】
0005944136.tif 000005
【図５】
0005944136.tif 000006
【図６】
0005944136.tif 000007
【図７】
0005944136.tif 000008
【図８】
0005944136.tif 000009
【図９】
0005944136.tif 000010
【図１０】
0005944136.tif 000011
【図１１】
0005944136.tif 000012
【図１２】
0005944136.tif 000013
【図１３】
0005944136.tif 000014
【図１４】
0005944136.tif 000015
【図１５】
0005944136.tif 000016
【図１６】
0005944136.tif 000017
【図１７】
0005944136.tif 000018
【図１８】
0005944136.tif 000019
【図１９】
0005944136.tif 000020
【図２０】
0005944136.tif 000021
【図２１】
0005944136.tif 000022
【図２２】
0005944136.tif 000023
【図２３】
0005944136.tif 000024
【図２４】
0005944136.tif 000025
【図２５】
0005944136.tif 000026
【図２６】
0005944136.tif 000027